(57)【要約】【課題】蛍光灯ランプが取り付けられる既存のランプソケットの構造をそのまま利用しながらも、ケースが伸縮した場合であっても破損したりランプソケットから脱落したりすることを回避でき、その機能を維持する。【解決手段】ＬＥＤ４１が搭載されたＬＥＤ基板４０が樹脂からなる外郭ケース２０に収容され、ＬＥＤ４１に電源を供給するための端子３１ａ，３１ｂを具備する取付け部材３０が外郭ケース２０の両端に嵌め込まれてなる構成において、取付け部材３０に、取付け部材３０が外郭ケース２０の軸方向に伸縮自在となるばねが内蔵されている。【選択図】図１
2012124013.tif 000002
【特許請求の範囲】
【請求項１】
ＬＥＤが搭載された基板が樹脂からなる筒状のケースに収容され、前記ＬＥＤに電源を供給するための接続端子を具備する取付け部材が前記ケースの両端に嵌め込まれてなるＬＥＤ照明器具において、
前記ケースの両端に嵌め込まれた取付け部材のうち少なくとも一方は、当該取付け部材が前記ケースの軸方向に伸縮自在となるための弾性部材を有することを特徴とするＬＥＤ照明器具。
【発明の詳細な説明】
【技術分野】
【０００１】
本発明は、ＬＥＤを光源として用いたＬＥＤ照明器具に関し、特に、ＬＥＤが搭載された基板が収容されたケースの周囲温度による伸縮対応技術に関する。
【背景技術】
【０００２】
ＬＥＤ（Light Emitting Diode）は、エネルギー効率に優れているとともに長寿命であり、また、近年においては高輝度化が進んでいることにより、様々な照明光源として利用されている。例えば、複数のＬＥＤを配列し、蛍光灯ランプの代わりとして利用することが考えられている。
【０００３】
このように蛍光灯ランプの代わりにＬＥＤを利用する場合、ＬＥＤを基板上に搭載し、その基板を筒状のケース内に固定することになるが、基板をケース内に固定するためにはケースの内部を加工する必要がある。そのため、基板を収容する筒状のケースとして、加工が施しやすい樹脂を用いることが好ましい。
【０００４】
ところが、一般に樹脂は周囲温度が上昇すると伸張し、周囲温度が低下すると収縮する性質を有するため、上述したように蛍光灯ランプの代わりにＬＥＤを利用したＬＥＤ照明器具において、ＬＥＤが搭載された基板が収容される筒状のケースとして樹脂を用いた場合、そのケースの両端が天井等に固定されたランプソケットに嵌め込まれていることにより、周囲温度が上昇すると、撓みや歪みが生じて破損してしまう虞れがあり、また、周囲温度が低下すると、ランプソケットから脱落してしまう虞れがある。
【０００５】
ここで、筒状のランプの両端を保持するソケットにばねを取り付け、ソケットをランプの軸方向に可動させる技術が考えられている（例えば、特許文献１参照。）。そこで、上述したＬＥＤ照明器具においても、筒状のケースの両端が嵌め込まれるランプソケットに同様にばねを取り付けることにより、周囲温度が変化した場合に、ケースが破損したり、ランプソケットから脱落したりすることを回避することができるようになる。
【先行技術文献】
【特許文献】
【０００６】
【特許文献１】特開２００７−１２３２２号公報
【発明の概要】
【発明が解決しようとする課題】
【０００７】
蛍光灯ランプの代わりにＬＥＤを利用する場合、蛍光灯ランプが取り付けられる既存のランプソケットの構造をそのまま利用してＬＥＤ照明器具を取り付けることが好ましいが、上述したように、ランプソケットにばねを取り付ける場合、蛍光灯ランプが取り付けられるランプソケットを改造する必要が生じ、ランプソケットをそのまま利用することができないという問題点がある。また、ランプソケットにばねを取り付けた後であっても、ＬＥＤ照明器具のケースの材質や形状に応じて、ばねを変更する必要が生じてしまうという問題点がある。
【０００８】
また、ランプソケットにばねを取り付けた場合、ばねが半永久的に交換されずに使用されることになるため、ばねの金属劣化や弾性力の低下によって上述したような機能が損なわれてしまうという問題点がある。
【０００９】
本発明は、上述したような従来の技術が有する問題点に鑑みてなされたものであって、蛍光灯ランプが取り付けられる既存のランプソケットの構造をそのまま利用しながらも、ケースが伸縮した場合であっても破損したりランプソケットから脱落したりすることを回避でき、その機能を維持することができるＬＥＤ照明器具を提供することを目的とする。
【課題を解決するための手段】
【００１０】
上記目的を達成するために本発明は、
ＬＥＤが搭載された基板が樹脂からなる筒状のケースに収容され、前記ＬＥＤに電源を供給するための接続端子を具備する取付け部材が前記ケースの両端に嵌め込まれてなるＬＥＤ照明器具において、
前記ケースの両端に嵌め込まれた取付け部材のうち少なくとも一方は、当該取付け部材が前記ケースの軸方向に伸縮自在となるための弾性部材を有することを特徴とする。
【００１１】
上記のように構成された本発明においては、ケースの両端に嵌め込まれた取付け部材のうち少なくとも一方に、その取付け部材がケースの軸方向に伸縮自在となるための弾性部材が設けられているので、周囲温度の変化に伴ってケースが伸縮した場合、弾性部材によって取付け部材がケースの軸方向に伸縮することにより、ケースの伸縮による長さの変化分が吸収されてＬＥＤ照明器具全体の長さが一定に保たれる。それにより、蛍光灯ランプが取り付けられる既存のランプソケットに取り付けた場合においても、ケースが伸縮することによって破損したりランプソケットから脱落したりすることが回避されることになる。また、取付け部材がケースの軸方向に伸縮自在となるための弾性部材が、ケースの両端に嵌め込まれた取付け部材に設けられていることにより、弾性部材がケースの材質や形状に応じたものとなっており、また、ＬＥＤ照明器具とともに弾性部材が取り替えられることで、破損したりランプソケットから脱落したりすることを回避する機能が維持される。
【発明の効果】
【００１２】
以上説明したように本発明においては、ＬＥＤが搭載された基板が樹脂からなる筒状のケースに収容され、ＬＥＤに電源を供給するための接続端子を具備する取付け部材がケースの両端に嵌め込まれてなるものにおいて、ケースの両端に嵌め込まれた取付け部材のうち少なくとも一方に、その取付け部材がケースの軸方向に伸縮自在とすなるための弾性部材を有する構成としたため、周囲温度の変化に伴ってケースが伸縮した場合、弾性部材によって取付け部材がケースの軸方向に伸縮することにより、ケースの伸縮による長さの変化分が吸収されてＬＥＤ照明器具全体の長さが一定に保たれることになり、それにより、蛍光灯ランプが取り付けられる既存のランプソケットの構造をそのまま利用しながらも、ケースが伸縮した場合であっても破損したりランプソケットから脱落したりすることを回避でき、その機能を維持することができる。
【図面の簡単な説明】
【００１３】
【図１】本発明のＬＥＤ照明器具の実施の一形態を示す図であり、（ａ）は外観斜視図、（ｂ）は内部構造を示す斜視図、（ｃ）は輪切りにした断面図である。
【図２】図１に示した取付け部材の構成を示す図であり、（ａ）は外郭ケースに取り付けられた外側から見た図、（ｂ）はその内側から見た図、（ｃ）は側面から見た図である。
【図３】図２に示した可動部の固定部への嵌め込み方を説明するための図である。
【図４】図１に示したＬＥＤ照明器具の使用方法を説明するための図であり、（ａ）はＬＥＤ照明器具が取り付けられるランプソケットを示す図、（ｂ）は（ａ）に示したランプソケットへのＬＥＤ照明器具の取り付け方を示す図、（ｃ）は（ａ）に示したランプソケットへのＬＥＤ照明器具の取り付け方を示す図、（ｄ）はＬＥＤ照明器具がランプソケットに取り付けられた状態を示す図である。
【図５】図１に示したＬＥＤ照明器具において図２に示した構成を有する取付け部材による作用を説明するための図であり、（ａ）は取付け時の状態を示す図、（ｂ）は（ａ）に示した状態に対して外郭ケースが伸張した状態を示す図、（ｃ）は（ａ）に示した状態に対して外郭ケースが収縮した状態を示す図である。
【発明を実施するための形態】
【００１４】
以下に、本発明の実施の形態について図面を参照して説明する。
【００１５】
図１は、本発明のＬＥＤ照明器具の実施の一形態を示す図であり、（ａ）は外観斜視図、（ｂ）は内部構造を示す斜視図、（ｃ）は輪切りにした断面図である。また、図２は、図１に示した取付け部材３０の構成を示す図であり、（ａ）は外郭ケース２０に取り付けられた外側から見た図、（ｂ）はその内側から見た図、（ｃ）は側面から見た図である。
【００１６】
本形態は図１に示すように、光を透過するとともに反射させる材料であるポリカーボネート等の樹脂からなる円筒状の外郭ケース２０の両端部に、２つの端子３１ａ，３１ｂをそれぞれ有する取付け部材３０が嵌め込まれて構成されている。この外郭ケース２０の内部には、一方の面に複数のＬＥＤ４１が搭載された帯状のＬＥＤ基板４０と、このＬＥＤ基板４０上に搭載された反射板５０とを有している。
【００１７】
ＬＥＤ基板４０は、その一方の面上に、複数のＬＥＤ４１が２列をなして搭載されており、複数のＬＥＤ４１が列をなす方向に沿う端部が外郭ケース２０の内側面に設けられた溝２１に嵌め込まれて固定されている。
【００１８】
反射板５０は、少なくとも一方の面が鏡面等の反射機能を有し、ＬＥＤ基板４０上におけるＬＥＤ４１の配置ピッチと同一のピッチで複数の貫通孔５１が２列をなして設けられている。そして、反射機能を有する面がＬＥＤ基板４０とは反対側となるように、かつ、複数のＬＥＤ４１のそれぞれが貫通孔５１から表出するようにＬＥＤ基板４０上に搭載され、複数の貫通孔５１が列をなす方向に沿う端部が外郭ケース２０の内側面に設けられた溝２１に嵌め込まれて固定されている。つまり、外郭ケース２０の内側面に設けられた溝２１は、ＬＥＤ基板４０と反射板５０の厚さを合わせた幅となっている。
【００１９】
外郭ケース２０の両端部に嵌め込まれた取付け部材３０は、図２に示すように、固定部３３と、固定部３３に嵌め込まれた可動部３２とから構成されている。
【００２０】
可動部３２は、中空円柱状の基部３２ｂとこの基部３２ｂから突出した断面が楕円形の凸部３２ａとからなり、凸部３２ａの先端にて端子３１ａ，３１ｂが露出している。また、基部３２ｂの凸部３２ａとは反対側の端部には、円柱状の側面から突出した２つの突起３２ｃが設けられている。
【００２１】
固定部３３は、挿入部３７ａ，３７ｂ，３８ａ，３８ｂ，３９ａ，３９ｂが設けられた外壁によって囲まれたばね収容部３６を有するとともに、ばね収容部３６の周囲に、この取付け部材３０が外郭ケース２０の両端に嵌め込まれた際に外郭ケース２０の溝２１に嵌め込まれる突起３４ａ，３４ｂが設けられている。固定部３３に設けられた挿入部３７ａ，３７ｂ，３８ａ，３８ｂ，３９ａ，３９ｂは、可動部３２の突起３２ｃが嵌め込まれるためのものであって、挿入部３７ａ，３７ｂ，３８ａ，３８ｂは、可動部３２が嵌め込まれる方向に延びており、挿入部３９ａ，３９ｂは、挿入部３７ａ，３７ｂ，３８ａ，３８ｂ間をつなぐように設けられている。そして、ばね収容部３６に、可動部３２が嵌め込まれるとともに弾性部材となるばね３５が収容され、可動部３２に設けられた突起３２ｃが、固定部３３に設けられた挿入部３９ａ，３９ｂの端部に係合することにより、可動部３２が固定部３３から離脱しないように係止されている。
【００２２】
図３は、図２に示した可動部３２の固定部３３への嵌め込み方を説明するための図である。
【００２３】
図２に示した可動部３２を固定部３３に嵌め込む場合は、まず、図３（ａ）に示すように、基部３２ｂの凸部３２ａとは反対側からばね３５が突出するように保持しながら、ばね３５を固定部３３のばね収容部３６に収容していくとともに、可動部３２の突起３２ｃを挿入部３７ａ，３７ｂに入り込ませていき、ばね３５をばね収容部３６の底部に当接させる。
【００２４】
次に、可動部３２を固定部３３に向かって押すことによりばね３５を縮ませていき、図３（ｂ）に示すように可動部３２の突起３２ｃを挿入部３９ａ，３９ｂに入り込ませ、図３（ｃ）に示すように、固定部３３を可動部３２に対して回転させる。挿入部３９ａ，３９ｂは、上述したように挿入部３７ａ，３７ｂと挿入部３８ａ，３８ｂとをつなぐように設けられているため、固定部３３を可動部３２に対して回転させることにより、可動部３２の突起３２ｃが挿入部３８ａ，３８ｂに入り込めるようになる。
【００２５】
そして、可動部３２の突起３２ｃが挿入部３８ａ，３８ｂに入り込んだ状態にて、可動部３２を押す力を解除すると、可動部３２がばね３５の復元力によって固定部３３から離脱する方向に移動する。この際、突起３２ｃが入り込んだ挿入部３８ａ，３８ｂは、挿入部３９ａ，３９ｂとは反対側の端部が外部に連通していないため、図３（ｄ）に示すように、可動部３２の突起３２ｃがその端部に当接し、それにより、可動部３２は、ばね３５が完全に伸びきっていない状態、すなわちばね３５による弾性力が加わった状態で固定部３３に係止されることになる。
【００２６】
また、可動部３２の先端から露出した端子３１ａ，３１ｂは、可動部３２に固定された状態で固定部３３のばね収容部３６の底部近傍まで延びている。
【００２７】
このように、固定部３３のばね収容部３６にばね３５が縮んだ状態で収容されることにより、このばね３５の一端が可動部３２に固定され、ばね３５の他端がばね収容部３６の底部に固定されることになり、それにより、このばね３５を伸縮させることによって可動部３２の固定部３３に対する相対位置を変位可能とし、それにより、取付け部材３０が、外郭ケース２０の軸方向に伸縮自在となっている。
【００２８】
以下に、上記のように構成されたＬＥＤ照明器具１の使用方法について説明する。
【００２９】
図４は、図１に示したＬＥＤ照明器具１の使用方法を説明するための図であり、（ａ）はＬＥＤ照明器具１が取り付けられるランプソケットを示す図、（ｂ）は（ａ）に示したランプソケット２へのＬＥＤ照明器具１の取り付け方を示す図、（ｃ）は（ａ）に示したランプソケット２へのＬＥＤ照明器具１の取り付け方を示す図、（ｄ）はＬＥＤ照明器具１がランプソケット２に取り付けられた状態を示す図である。
【００３０】
図１に示したＬＥＤ照明器具１は、図４（ａ）に示すようなランプソケット２に取り付けられて使用される。このランプソケット２は、天井３に取り付けられており、外枠５から凸部４が突出して構成されている。凸部４には、取付け部材３０の凸部３２ａが嵌め込まれる溝６ａが設けられている。そして、凸部４の溝６ａには、取付け部材３０の端子３１ａ，３１ｂと接触することにより、ＬＥＤ４１に電源を供給するための接続部７ａ，７ｂが設けられている。
【００３１】
このようなランプソケット２にＬＥＤ照明器具１を取り付ける場合は、まず、図４（ｂ）に示すように、外郭ケース２０の両端に取り付けられた取付け部材３０の一方を、その凸部３２ａが溝６ａに入り込むようにしてランプソケット２に取り付けていく。そして、取付け部材３０の凸部３２ａが凸部４の溝６ａに嵌め込まれることにより、取付け部材３０の端子３１ａ，３１ｂがランプソケット２の接続部７ａ，７ｂと接触した状態となる。
【００３２】
そして、図４（ｃ）に示すように、ＬＥＤ照明器具１をランプソケット２に押し付け、取付け部材３０のばね３５を縮めることによってこの取付け部材３０の外部ケース２０の軸方向の長さを短くし、他方の取付け部材３０の凸部３２ａをランプソケット２の溝６ａに嵌め込み、図４（ｄ）に示すように、ばね３５が元に戻った状態で取付け部材３０がランプソケット２に固定される。
【００３３】
このようにランプソケット２に取り付けられたＬＥＤ照明器具１においては、ランプソケット２の接続部７ａ，７ｂから供給された電源が、取付け部材３０の端子３１ａ，３１ｂを介してＬＥＤ４１に供給され、ＬＥＤ４１が発光することになる。この際、ＬＥＤ基板４０に搭載されたＬＥＤ４１は直流電源で駆動するため、ＬＥＤ照明器具１の両側の取付け部材３０に設けられた端子３１ａ，３１ｂのうち、２つの端子がＬＥＤ基板４０に接続され、これら２本の端子のうち一方にプラスの電位が印加され、他方にＧＮＤ電位が印加されることにより、ＬＥＤ４１に直流電源が供給される。なお、本形態においては、外郭ケース２０の両端部に嵌め込まれた取付け部材３０のうち、一方の取付け部材３０に設けられた２本の端子３１ａ，３１ｂにプラス、ＧＮＤ電位がそれぞれ印加され、他方の取付け部材３０に設けられた２つの端子はダミーとなっている。また、ＬＥＤ基板４０を２枚で構成する場合は、２枚のＬＥＤ基板４０のそれぞれに対して、外郭ケース２０の両端部に嵌め込まれた取付け部材３０の端子３１ａ，３１ｂからプラス、ＧＮＤ電位がそれぞれ印加されることになる。
【００３４】
以下に、上述した構成を有する取付け部材３０による作用について説明する。
【００３５】
図５は、図１に示したＬＥＤ照明器具１において図２に示した構成を有する取付け部材３０による作用を説明するための図であり、（ａ）は取付け時の状態を示す図、（ｂ）は（ａ）に示した状態に対して外郭ケース２０が伸張した状態を示す図、（ｃ）は（ａ）に示した状態に対して外郭ケース２０が収縮した状態を示す図である。
【００３６】
図１に示したＬＥＤ照明器具１は、上述したように取付け部３０がランプソケット２に嵌め込まれることにより、図５（ａ）に示すように取り付けられる。この際、取付け部材３０においては、可動部３２の凸部３２と基部３３との段差部分がランプソケット２の凸部４によって押されることによってばね３５が縮み、それにより、可動部３２の固定部３３に対する相対位置が、可動部３２が固定部３３に係止された位置、すなわち、ＬＥＤ照明器具１がソケット２に取り付けられていない状態における位置から、可動部３２の位置が変位可能な幅の半分程度ＬＥＤ照明器具１の内側に変位した状態となっている。これにより、ＬＥＤ照明器具１は、外郭ケース２０に過剰な負荷がかかることなく、ランプソケット２から脱落せずに保持されることになる。また、ＬＥＤ基板４０と可動部３２に固定された端子３１ａ，３１ｂとは、ＬＥＤ基板４０上に搭載されたＬＥＤ４１に電流を供給するための配線６０を介して接続されているが、この配線６０は、ＬＥＤ照明器具１がソケット２に取り付けられると、上述したように可動部３２の位置がＬＥＤ照明器具１の内側に変位することにより、ＬＥＤ照明器具１がソケット２に取り付けられていない状態に比べて撓むことになる。
【００３７】
この状態から、ＬＥＤ照明器具１の周囲温度が上昇した場合、外郭ケース２０は、ポリカーボネート等の樹脂からなるものであるため伸張する。すると、図５（ｂ）に示すように、可動部３２の凸部３２と基部３３との段差部分がランプソケット２の凸部４によって押されることによってばね３５がさらに縮み、それにより、可動部３２の固定部３３に対する相対位置がＬＥＤ照明器具１の内側にさらに変位する。このように、外郭ケース２０が伸張した場合、ばね３５が縮んで可動部３２の固定部３３に対する相対位置がＬＥＤ照明器具１の内側に変位することにより、取付け部材３０の外部ケース２０の軸方向の長さが短くなり、それにより、ＬＥＤ照明器具１は、周囲温度が上昇することによって外郭ケース２０が伸張した場合であっても、外郭ケース２０に過剰な負荷がかかることなくランプソケット２に保持されることになる。
【００３８】
また、図５（ａ）に示した状態から、ＬＥＤ照明器具１の周囲温度が低下した場合、外郭ケース２０が収縮する。すると、図５（ｃ）に示すように、外郭ケース２０の収縮に伴ってばね３５が伸び、それにより、可動部３２の固定部３３に対する相対位置がＬＥＤ照明器具１の外側、すなわち、ＬＥＤ照明器具１がソケット２に取り付けられていない状態における位置の方向に変位する。このように、外郭ケース２０が収縮した場合、ばね３５が伸びて可動部３２の固定部３３に対する相対位置がＬＥＤ照明器具１の外側に変位することにより、取付け部材３０の外部ケース２０の軸方向の長さが長くなり、それにより、ＬＥＤ照明器具１は、周囲温度が低下することによって外郭ケース２０が収縮した場合であっても、ランプソケット２から脱落せずに保持されることになる。
【００３９】
このように本形態においては、外郭ケース２０の両端に嵌め込まれた取付け部材３０にばね３５を内蔵した構成とすることにより、ＬＥＤ照明器具１の周囲温度の変化に伴って外郭ケースが伸縮した場合、ばね３５によって取付け部材３０が外郭ケース２０の軸方向に伸縮し、外郭ケース２０の伸縮による長さの変化分が吸収されてＬＥＤ照明器具１全体の長さが一定に保たれる。それにより、蛍光灯ランプが取り付けられる既存のランプソケット３に取り付けた場合においても、外郭ケース２０が伸縮することによって破損したりランプソケット３から脱落したりすることが回避されることになる。また、外郭ケース２０の伸縮による長さの変化分を吸収するためのばね３５が外郭ケース２０の両端に嵌め込まれた取付け部材３０に内蔵されていることにより、ばね３５が外郭ケース２０の材質や形状に応じたものとなっており、また、ＬＥＤ照明器具１とともにばね３５が取り替えられることで、破損したりランプソケット３から脱落したりすることを回避する機能が維持される。
【００４０】
なお、本形態においては、外郭ケース２０の両端に嵌め込まれた取付け部３０のそれぞれにばね３５が内蔵された構成を例に挙げて説明したが、本発明はこれに限らず、外郭ケース２０の両端に嵌め込まれた取付け部３０のうち少なくとも一方にばね３５が内蔵されていれば、上述したように、ＬＥＤ照明器具１の周囲温度の変化に伴って外郭ケース２０が伸縮した場合に外郭ケース２０の伸縮による長さの変化分を吸収することができる。
【符号の説明】
【００４１】
１    ＬＥＤ照明器具
２    ランプソケット
３    天井
４    凸部
５    外枠
６ａ，６ｂ，２１    溝
７ａ，７ｂ    接続部
２０    外郭ケース
３０    取付け部材
３１ａ，３１ｂ    端子
３２    可動部
３２ａ    凸部
３２ｂ    基部
３２ｃ，３４ａ，３４ｂ    突起
３３    固定部
３５    ばね
３６    ばね収容部
３７ａ，３７ｂ，３８ａ，３８ｂ，３９ａ，３９ｂ    挿入部
４０    ＬＥＤ基板
４１    ＬＥＤ
５０    反射板
５１    貫通孔
６０    配線
【図１】
2012124013.tif 000003
【図２】
2012124013.tif 000004
【図３】
2012124013.tif 000005
【図４】
2012124013.tif 000006
【図５】
2012124013.tif 000007